(57)【要約】【課題】他者による操作や情報の漏洩を防止しつつ、スクリーンロック時における装置の動作状況をユーザに認識させることが可能な医用装置を提供する。【解決手段】複数のスクリーンロック画面４２１〜４２５等を記憶した画面記憶部４２と、これら複数のスクリーンロック画面のそれぞれと複数の動作状況のそれぞれとを関連付ける登録情報４３０を記憶した登録情報記憶部４３と、スクリーンロック時の装置の動作状況を監視して動作状況の変化を検知する装置監視部４４とを有する。制御部４６は、登録情報４３０により一の動作状況に関連付けられたスクリーンロック画面が表示部３５に表示されている場合に、当該一の動作状況から他の動作状況への変化が検知されたときに、登録情報４３０により当該他の動作状況に関連付けられたスクリーンロック画面を表示部３５に表示させる。【選択図】図１
2007164372.tif 000002
【特許請求の範囲】
【請求項１】
医用情報を表示する表示手段と、該表示手段にスクリーンロック画面を表示させる制御手段とを有する医用装置であって、
スクリーンロック時の装置の動作状況を監視する動作状況監視手段を備え、
前記制御手段は、前記監視される動作状況の変化に対応して、前記表示手段に表示させるスクリーンロック画面を切り換える、
ことを特徴とする医用装置。
【請求項２】
医用情報を表示する表示手段と、該表示手段にスクリーンロック画面を表示させる制御手段とを有する医用装置であって、
複数のスクリーンロック画面をあらかじめ記憶した画面記憶手段と、
前記記憶された複数のスクリーンロック画面のそれぞれと、複数の動作状況のそれぞれとを関連付ける関連情報をあらかじめ記憶した関連情報記憶手段と、
スクリーンロック時の装置の動作状況を監視して動作状況の変化を検知する動作状況監視手段と、
を備え、
前記制御手段は、前記関連情報により前記複数の動作状況のうちの一の動作状況に関連付けられたスクリーンロック画面が前記表示手段に表示されている場合において、当該一の動作状況から他の動作状況への変化が前記検知されたときに、前記関連情報により前記他の動作状況に関連付けられたスクリーンロック画面を前記表示手段に表示させる、
ことを特徴とする医用装置。
【請求項３】
ネットワークを介してユーザ端末と通信可能に接続されており、
前記動作状況監視手段により一の動作状況から他の動作状況への変化が検知されたときに、所定の報知情報を前記ネットワークを介して前記ユーザ端末に送信する報知手段を更に備える、
ことを特徴とする請求項２に記載の医用装置。
【請求項４】
前記関連情報は、前記複数の動作状況のそれぞれに対し、当該動作状況の緊急度を示す緊急度情報を関連付け、
前記報知手段は、前記動作状況監視手段により一の動作状況から他の動作状況への変化が検知されたときに、当該他の動作状況に関連付けられた緊急度情報に示す緊急度が所定レベル以上である場合にのみ、前記所定の報知情報を前記ユーザ端末に送信する、
ことを特徴とする請求項３に記載の医用装置。
【請求項５】
ネットワークを介してユーザ端末と通信可能に接続されており、
所定の報知情報を前記ネットワークを介して前記ユーザ端末に送信する報知手段と、
前記複数の動作状況のそれぞれについて前記報知手段による報知を必要とするか否かを指定するための操作手段と、
を更に備え、
前記関連情報は、前記複数の動作状況のそれぞれに対し、前記指定された結果を示す指定情報を関連付け、
前記報知手段は、前記動作状況監視手段により一の動作状況から他の動作状況への変化が検知されたときに、前記他の動作状況に関連付けられた指定情報を参照し、報知が必要であると指定されている場合に、所定の報知情報を前記ユーザ端末に送信する、
ことを特徴とする請求項２に記載の医用装置。
【請求項６】
前記関連情報は、前記複数の動作状況のそれぞれに対し、当該動作状況の緊急度を示す緊急度情報を関連付け、
前記制御手段は、前記動作状況監視手段により一の動作状況から他の動作状況への変化が検知されたときに、当該他の動作状況に関連付けられた緊急度情報に示す緊急度が所定レベル以上である場合には、前記表示手段に対するスクリーンロックを解除する、
ことを特徴とする請求項２に記載の医用装置。
【請求項７】
前記複数の動作状況のそれぞれについて、別の動作状況から当該動作状況に変化したときにスクリーンロックを解除させるか否かを指定するための操作手段を更に備え、
前記関連情報は、前記複数の動作状況のそれぞれに対し、前記指定された結果を示す指定情報を関連付け、
前記制御手段は、前記動作状況監視手段により一の動作状況から他の動作状況への変化が検知されたときに、前記他の動作状況に関連付けられた指定情報を参照し、スクリーンロックを解除させると指定されている場合にはスクリーンロックを解除し、解除させないと指定されている場合には前記他の動作状況に関連付けられたスクリーンロック画面を表示させる、
ことを特徴とする請求項２に記載の医用装置。
【請求項８】
前記複数の動作状況のそれぞれについて、別の動作状況から当該動作状況に変化したときにスクリーンロック画面の切り換えを行うか否かを指定するための操作手段を更に備え、
前記関連情報は、前記複数の動作状況のそれぞれに対し、前記指定された結果を示す指定情報を関連付け、
前記制御手段は、前記動作状況監視手段により一の動作状況から他の動作状況への変化が検知されたときに、前記他の動作状況に関連付けられた指定情報を参照し、前記切り換えを行うと指定されている場合には前記他の動作状況に関連付けられたスクリーンロック画面を表示させ、前記切り換えを行わないと指定されている場合には前記一の動作状況に関連付けられたスクリーンロック画面の表示を継続する、
ことを特徴とする請求項２に記載の医用装置。
【請求項９】
前記制御手段は、前記動作状況監視手段により一の動作状況から他の動作状況への変化が検知されたときに、該検知された時刻を前記表示手段に表示させる、
ことを特徴とする請求項２〜請求項８のいずれか一項に記載の医用装置。
【請求項１０】
前記複数の動作状況は、前記表示手段がスクリーンロックされているときに装置が正常に動作している状況に加えて、スクリーンロック時のバックグラウンド処理においてエラーが発生した状況と、ダイアログの表示要求が発生した状況と、警告状態が発生した状況と、情報の表示要求が発生した状況とのうちの少なくとも一の状況を含んでいる、
ことを特徴とする請求項２〜請求項９のいずれか一項に記載の医用装置。
【請求項１１】
医用情報を表示する表示手段と、
複数のスクリーンロック画面をあらかじめ記憶した画面記憶手段と、
前記記憶された複数のスクリーンロック画面のそれぞれと、複数の動作状況のそれぞれとを関連付ける関連情報をあらかじめ記憶した関連情報記憶手段と、
を有する医用装置を、
スクリーンロック時の装置の動作状況を監視して動作状況の変化を検知する動作状況監視手段、及び
前記関連情報により前記複数の動作状況のうちの一の動作状況に関連付けられたスクリーンロック画面が前記表示手段に表示されている場合において、当該一の動作状況から他の動作状況への変化が前記検知されたときに、前記関連情報により前記他の動作状況に関連付けられたスクリーンロック画面を前記表示手段に表示させる制御手段、
として機能させることを特徴とするスクリーンロック制御プログラム。
【発明の詳細な説明】
【技術分野】
【０００１】
本発明は、スクリーンロック機能を有する医用装置及びスクリーンロック制御プログラムに関する。
【背景技術】
【０００２】
近年、情報セキュリティ管理の必要性が高まりを見せており、様々なセキュリティ管理技術が開発されている。たとえば、コンピュータに記憶されたデータへのアクセスに対するセキュリティ管理技術の１つとして、スクリーンロック（Ｓｃｒｅｅｎ  Ｌｏｃｋ）機能が注目されてきている。
【０００３】
スクリーンロック機能は、コンピュータによる作業が中断されているときに作動して、コンピュータの表示画面をロックさせることにより、操作を受け付けないようにしたり、表示情報の漏洩を防止したりするための技術である（例えば特許文献１参照）。このスクリーンロック機能は、キー入力やマウス操作等の操作が一定時間なされなかったときや、あらかじめ定められた操作がなされたときなどに作動するようになっている。
【０００４】
医用分野においては、主に患者の個人情報保護の観点から情報セキュリティ管理の技術開発が進められており、スクリーンロック機能を搭載した医用装置の検討もなされている。その対象とされるべき医用装置には多種多様なものがある。たとえば、超音波診断装置、Ｘ線ＣＴ（Ｃｏｍｐｕｔｅｄ  Ｔｏｍｏｇｒａｐｈｙ）装置、Ｘ線診断装置、磁気共鳴イメージング（ＭＲＩ：Ｍａｇｎｅｔｉｃ  Ｒｅｓｏｎａｎｃｅ  Ｉｍａｇｉｎｇ）装置、核医学診断装置などの画像診断装置や、病院情報システム（ＨＩＳ：Ｈｏｓｐｉｔａｌ  Ｉｎｆｏｒｍａｔｉｏｎ  Ｓｙｓｔｅｍ），放射線情報システム（ＲＩＳ：Ｒａｄｉｏｌｏｇｙ  Ｉｎｆｏｒｍａｔｉｏｎ  ｓｙｓｔｅｍ）、医用画像保管通信システム（ＰＡＣＳ：Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）等の医用情報システムなどが想定される。
【０００５】
【特許文献１】特開２００５−１４９４４３号公報
【発明の開示】
【発明が解決しようとする課題】
【０００６】
このような医用装置にスクリーンロック機能を搭載する場合、医用分野特有の事情を考慮する必要がある。たとえばＸ線ＣＴ装置で投影データを収集しているときに、他者が装置を操作したり、ハードウェア又はソフトウェアにエラーが発生したりすると、Ｘ線の曝射量が変更されてしまったり、患者の体位が変更されてしまったりするおそれがある。また、検査結果や診断結果等が変更されてしまうと、誤診等につながりかねない。更に、患者の既往歴や現在の病状等の情報の漏洩は、患者のプライバシーを著しく脅かすおそれがある。
【０００７】
また、表示画面がスクリーンロックされている状態で、バックグラウンド処理が実行されていることがある。その状態でバックグラウンド処理にエラーが発生しても、スクリーンロック状態は維持されるため、ユーザはスクリーンロックを解除するまでエラーの発生を認識することができない。また、バックグラウンド処理においてダイアログの表示要求がなされても、表示画面にダイアログは表示されないため、スクリーンロックを解除するまでダイアログの内容を確認することができない。このような事態が生じると、大きな時間のロスが発生するうえ、場合によっては患者に危険が及ぶこともないとは言えない。また、スクリーンロック時にハードウェアに異常動作が発生した場合にも、ユーザはその旨を認識することができなかった。
【０００８】
このような事情を考慮すると、エラー発生時やダイアログ表示要求時や異常動作時にスクリーンロックを無条件に解除することが適当と思われる。しかしながら、前述の医用分野特有の事情を勘案すると、スクリーンロックの無条件解除は、大きな危険性を伴うものであることが明らかである。このように、医用装置に対してスクリーンロック機能を有効な形態で適用するには、スクリーンロックを無条件に解除することなく、バックグラウンド処理の処理状況などの装置の動作状況をユーザに認識させる必要がある。
【０００９】
また、装置の動作状況に異常が発生したときに警報音を出力することも考えられる。しかし、ユーザがその場にいない場合には警報音を認識することができず、異常の発生を把握することができない。
【００１０】
本発明は、以上のような問題点を解決するためになされたものであり、他者による操作や情報の漏洩を防止しつつ、スクリーンロック時におけるバックグラウンド処理の処理状況などの装置の動作状況をユーザに認識させることが可能な医用装置及びスクリーンロック制御プログラムを提供することを目的とする。
【００１１】
また、本発明は、スクリーンロック時における装置の動作状況を、装置の側にいないユーザに対して通知することが可能な医用装置及びスクリーンロック制御プログラムを提供することを他の目的とする。
【課題を解決するための手段】
【００１２】
上記目的を達成するために、請求項１に記載の発明は、医用情報を表示する表示手段と、該表示手段にスクリーンロック画面を表示させる制御手段とを有する医用装置であって、スクリーンロック時の装置の動作状況を監視する動作状況監視手段を備え、前記制御手段は、前記監視される動作状況の変化に対応して、前記表示手段に表示させるスクリーンロック画面を切り換える、ことを特徴とする。
【００１３】
また、請求項２に記載の発明は、医用情報を表示する表示手段と、該表示手段にスクリーンロック画面を表示させる制御手段とを有する医用装置であって、複数のスクリーンロック画面をあらかじめ記憶した画面記憶手段と、前記記憶された複数のスクリーンロック画面のそれぞれと、複数の動作状況のそれぞれとを関連付ける関連情報をあらかじめ記憶した関連情報記憶手段と、スクリーンロック時の装置の動作状況を監視して動作状況の変化を検知する動作状況監視手段と、を備え、前記制御手段は、前記関連情報により前記複数の動作状況のうちの一の動作状況に関連付けられたスクリーンロック画面が前記表示手段に表示されている場合において、当該一の動作状況から他の動作状況への変化が前記検知されたときに、前記関連情報により前記他の動作状況に関連付けられたスクリーンロック画面を前記表示手段に表示させる、ことを特徴とする。
【００１４】
また、請求項３に記載の発明は、請求項２に記載の医用装置であって、ネットワークを介してユーザ端末と通信可能に接続されており、前記動作状況監視手段により一の動作状況から他の動作状況への変化が検知されたときに、所定の報知情報を前記ネットワークを介して前記ユーザ端末に送信する報知手段を更に備えることを特徴とする。
【００１５】
また、請求項１１に記載の発明は、医用情報を表示する表示手段と、複数のスクリーンロック画面をあらかじめ記憶した画面記憶手段と、前記記憶された複数のスクリーンロック画面のそれぞれと、複数の動作状況のそれぞれとを関連付ける関連情報をあらかじめ記憶した関連情報記憶手段と、を有する医用装置を、スクリーンロック時の装置の動作状況を監視して動作状況の変化を検知する動作状況監視手段、及び前記関連情報により前記複数の動作状況のうちの一の動作状況に関連付けられたスクリーンロック画面が前記表示手段に表示されている場合において、当該一の動作状況から他の動作状況への変化が前記検知されたときに、前記関連情報により前記他の動作状況に関連付けられたスクリーンロック画面を前記表示手段に表示させる制御手段、として機能させることを特徴とするスクリーンロック制御プログラムである。
【発明の効果】
【００１６】
本発明によれば、医用装置の動作状況を監視し、その動作状況の変化に対応して表示手段に表示させるスクリーンロック画面を切り換えることができるので、ユーザは、切り換え表示されたスクリーンロック画面を参照することにより、スクリーンロック状態のバックグラウンド処理やハードウェアにどのような動作状況の変化が発生したかを把握することができる。また、動作状況変化後においてもスクリーンロック状態になっているので、他者が不適当な操作を行ったとしても、その操作の影響を受けることが無いうえに、情報が漏洩することもない。したがって、他者による操作や情報の漏洩を防止しつつ、スクリーンロック時におけるバックグラウンド処理の処理状況などの装置の動作状況をユーザに認識させることが可能である。
【００１７】
本発明によれば、複数のスクリーンロック画面をあらかじめ記憶した画面記憶手段と、これらスクリーンロック画面のそれぞれと、複数の動作状況のそれぞれとを関連付ける関連情報をあらかじめ記憶した関連情報記憶手段とを備えており、前記関連情報によりこれら複数の動作状況のうちの一の動作状況に関連付けられたスクリーンロック画面が表示手段に表示されている場合において、この一の動作状況から他の動作状況への変化を検知したときに、前記関連情報により当該他の動作状況に関連付けられたスクリーンロック画面を表示手段に表示させることができる。したがって、上記発明と同様に、他者による操作や情報の漏洩を防止しつつ、スクリーンロック時におけるバックグラウンド処理の処理状況などの装置の動作状況をユーザに認識させることが可能である。
【００１８】
また、本発明によれば、一の動作状況から他の動作状況への変化が検知されたときに、所定の報知情報をネットワークを介してユーザ端末に送信することができるので、スクリーンロック時における装置の動作状況を、装置の側にいないユーザに対して通知することが可能である。
【発明を実施するための最良の形態】
【００１９】
本発明に係る医用装置及びスクリーンロック制御プログラムの好適な実施の形態の一例について、図面を参照しながら詳細に説明する。
【００２０】
［医用装置の構成］
本発明に係る医用装置の構成の一例を図１に示す。同図に示す医用装置１は、たとえば超音波診断装置、Ｘ線ＣＴ装置、ＭＲＩ等の画像診断装置や、検体装置や、ＨＩＳ、ＲＩＳ、ＰＡＣＳ等の医用情報システムなどの任意の医用装置である。図１においては、このような各種用途の医用装置１が具備する特有の構成要素は省略されている。
【００２１】
この医用装置１は、ネットワークＮを介してユーザ端末１０と通信可能に構成されている。ユーザ端末１０は、医用装置１のユーザなど医用装置１に関わるユーザが使用する端末装置である。
【００２２】
このユーザ端末１０としては、たとえば、携帯電話、固定電話、ＰＤＡ（Ｐｅｒｓｏｎａｌ  Ｄｉｇｉｔａｌ  Ａｓｓｉｓｔａｎｎｃｅ）、ノートパソコン、デスクトップパソコンなど、ユーザが携帯する任意の端末装置や、ユーザの自宅やオフィス等に設置された任意の端末装置を用いることができる。
【００２３】
また、ネットワークＮとしては、電話回線、インターネット回線、ＬＡＮ、専用回線などの任意の通信回線を適宜使用することができる（有線回線、無線回線を問わず。公共回線、専用回線を問わず。）。
【００２４】
医用装置１には、図１に示すように、アプリケーション実行部２、ハードウェア構成部３、装置制御部４及び通信部５が設けられている。以下、これらの各部について、その詳細を説明する。
【００２５】
〔アプリケーション実行部〕
アプリケーション実行部２は、医用装置１の機能に応じた検査アプリケーションや患者情報登録アプリケーション等の各種の医用アプリケーションソフトウェアを実行するもので、ＣＰＵ等のマイクロプロセッサやＲＡＭ等のメモリとを含んで構成されている。このアプリケーション実行部２は、アプリケーションソフトウェアの実行状況ステータス（動作状況）を装置制御部４に通知する機能を有している。
【００２６】
〔ハードウェア構成部〕
ハードウェア構成部３は、医用装置１の機能に応じた各種のハードウェアを含んで構成されている。このハードウェア構成部３には、操作部３１、ハードウェア３２、寝台３３、重量検出センサ３４及び表示部３５が設けられている。
【００２７】
操作部３１は、医用装置１の操作や情報入力等をユーザが行うための任意の操作デバイス（入力デバイス）により構成される。特に、ユーザは、操作部３１を操作することにより、スクリーンロック画面の管理（新規登録、削除、変更）や、後述の登録情報の管理（新規登録、削除、変更）を行うことができる。
【００２８】
この操作部３１としては、たとえば、マウス、キーボード、トラックボール、ジョイスティック、タブレット、タッチパネル等を適宜に使用することができる。この操作部３１は、本発明の「操作手段」の一例に相当するものである。
【００２９】
ハードウェア３２は、前述した医用装置１の機能に応じたハードウェアに相当するものである。たとえば医用装置１がＸ線ＣＴ装置である場合、ハードウェア３２にはガントリ等が含まれる。また、医用装置１が医用情報システムである場合、ハードウェア３２にはメディアに記録された情報の読み出し処理と、メディアに対する情報の記録処理とを行うドライブ装置などが含まれる。
【００３０】
このハードウェア３２の動作状況（たとえばＸ線曝射量など）は、従来と同様に、図示しないセンサ等によって検出されて装置制御部４に通知される。また、このハードウェア３２は、装置制御部４によって動作制御される。
【００３１】
寝台３３は、医用装置１が、Ｘ線ＣＴ装置、Ｘ線診断装置、ＭＲＩ装置等の画像診断装置である場合に設けられるものである。医用画像撮影時には、この寝台３３に患者を横たえて処置を行う。重量検出センサ３４は、寝台３３上に載置された患者の重量を検出するものである。寝台３３の動作状況（寝台位置、チルト角度等）は、従来と同様に、図示しないセンサ等により検出されて装置制御部４に通知される。寝台３３は、装置制御部４によって動作制御される。
【００３２】
表示部３５は、装置制御部４の制御にしたがって、各種医用情報等を含む画面を表示する。この表示部３５としては、たとえばＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）ディスプレイ等の任意の表示装置を適用することができる。この表示部３５は、本発明の「表示手段」の一例に相当する。
【００３３】
〔装置制御部〕
装置制御部４は、医用装置１の各部の制御を行うものである。装置制御部４は、情報登録部４１、画面記憶部４２、登録情報記憶部４３、装置監視部４４、計時部４５及び制御部４６を含んで構成されている。
【００３４】
（画面記憶部）
画面記憶部４２には、各種のスクリーンロック画面（の画像データ；以下同様）が記憶されている。図２に、スクリーンロック画面の一例を示す。図２（Ａ）のスクリーンロック画面４２１は、正常動作時に表示されるスクリーンロック画面である。図２（Ｂ）のスクリーンロック画面４２２は、ダイアログの表示要求が発生した時に表示されるスクリーンロック画面である。図２（Ｃ）のスクリーンロック画面４２３は、警告発生時に表示されるスクリーンロック画面である。図２（Ｄ）のスクリーンロック画面４２４は、レベル１（軽度）のエラーが発生した時に表示されるスクリーンロック画面である。図２（Ｅ）のスクリーンロック画面４２５は、中程度のエラーが発生した時に表示されるスクリーンロック画面である。この画面記憶部４２は、本発明の「画面記憶手段」の一例に相当するものであり、たとえばハードディスクドライブ等の不揮発性記憶装置により構成されている。
【００３５】
（登録情報記憶部）
登録情報記憶部４３には、医用装置１の動作状況に対応する各種の設定情報が記録された登録情報４３０が記憶されている。この登録情報４３０は、本発明の「関連情報」の一例に相当する。また、画面記憶部４２は、本発明の「関連情報記憶手段」の一例に相当するもので、たとえばハードディスクドライブ等の不揮発性記憶装置により構成されている。なお、登録情報４３０に記録された各種の情報のうち、ユーザにより指定されたものが本発明の「指定情報」に相当する。
【００３６】
図３に登録情報４３０の一例を示す。同図に示す登録情報４３０には、「動作状況」として、正常動作を示す「正常」と、ダイアログの表示要求の発生を示す「ダイアログ表示」と、警告の発生を示す「警告」と、レベル１のエラーの発生を示す「エラー（レベル１）」と、レベル２のエラーの発生を示す「エラー（レベル２）」と、レベル３のエラーの発生を示す「エラー（レベル３）」と、医用情報等の情報の表示要求の発生を示す「情報表示」とが設定されている。なお、設定可能な動作状況は、これらに限定されるものではなく、たとえば医用装置１の運用形態等に応じた動作状況を適宜に設定することが可能である。
【００３７】
ここで、エラーのレベル分けの具体例を説明する。医用装置１としてＸ線ＣＴ装置を用いる。レベル１のエラーとしては、撮影されたＣＴ画像のメディアへの書き込みエラーなどの軽度のエラーが割り当てられる。また、レベル２のエラーとしては、ガントリにより収集された生データの保存エラーや、再構成データの保存エラーなどの中度のエラーが割り当てられる。また、レベル３のエラーとしては、患者をスキャンしているときのエラー、たとえばＸ線曝射量が設定値と異なる場合（曝射量が過大であったり、曝射されなかったりした場合など）など、患者に危険が及ぶような重度のエラーが割り当てられる。また、スキャン中に重量検出センサ３４による検出値が変化した場合（たとえば、患者が寝台３３から降りてしまった場合や、患者が大きく動いた場合など）については、たとえばレベル２若しくはレベル３のエラーに設定することができる。
【００３８】
登録情報４３０には、上記の各動作状況に対して、「ロック解除」、「画面ＩＤ」、「切り換え」、「ユーザ通知」、「通知先情報」及び「メッセージ」の各設定情報が記録されている。これらの各設定情報は、対応する動作状況に関連付けられて記録される。この関連付けは、例えば後述の動作状況識別情報によってすることができる。
【００３９】
設定情報「ロック解除」の欄には、その動作状況になったときに、スクリーンロックを自動的に解除させるか否か、すなわち、スクリーンロック画面を表示させるか（解除させないか）、若しくは、スクリーンロック画面を表示させずに通常の画面（操作を受け付け可能な通常の検査用の画面や診断用の画面など）に復帰させるか（解除させるか）、について指定された情報が記録される。
【００４０】
図３の設定情報「ロック解除」の欄には、各動作状況毎にチェックボックスが設けられている。塗りつぶされたチェックボックスは、スクリーンロックを解除させるよう設定されていることを示しており、塗りつぶされていないチェックボックスは、スクリーンロックを解除させないよう設定されていることを示している（以下同様）。したがって、図３の登録情報４３０では、動作状況「エラー（レベル３）」の場合にのみスクリーンロックを解除するようになっている。
【００４１】
なお、実際には、塗りつぶされたチェックボックスは所定のフラグが立てられている状態に相当し、塗りつぶされていないチェックボックスはそのフラグが立てられていない状態に相当するものである。
【００４２】
設定情報「画面ＩＤ」の欄には、その動作状況になったときに表示されるスクリーンロック画面に付与された画面ＩＤ（画面識別情報）が記録されている。なお、その動作状況になってもスクリーンロック画面を表示させない場合（「ロック解除」オンの場合等）には、画面ＩＤを記録させる必要はない。
【００４３】
図３の登録情報４３０の設定情報「画面ＩＤ」の欄において、「正常」には、図２（Ａ）に示すスクリーンロック画面４２１の画面ＩＤ「ｌｏｃｋ＿ｐｉｃ＿１」が関連付けられている。「ダイアログ表示」には、図２（Ｂ）に示すスクリーンロック画面４２２の画面ＩＤ「ｌｏｃｋ＿ｐｉｃ＿２」が関連付けられている。「警告」には、図２（Ｃ）に示すスクリーンロック画面４２３の画面ＩＤ「ｌｏｃｋ＿ｐｉｃ＿３」が関連付けられている。「エラー（レベル１）」には、図２（Ｄ）に示すスクリーンロック画面４２４の画面ＩＤ「ｌｏｃｋ＿ｐｉｃ＿４」が関連付けられている。「エラー（レベル２）」には、図２（Ｅ）に示すスクリーンロック画面４２５の画面ＩＤ「ｌｏｃｋ＿ｐｉｃ＿５」が関連付けられている。「エラー（レベル３）」には、スクリーンロック画面の画面ＩＤが関連付けられていない。「情報表示」には、図示しないスクリーンロック画面の画面ＩＤ「ｌｏｃｋ＿ｐｉｃ＿６」が関連付けられている。
【００４４】
なお、動作状況とスクリーンロック画面との関連付けは、このような画面ＩＤを用いる代わりに、画面記憶部４２におけるスクリーンロック画面の格納位置情報（ディレクトリ）や、スクリーンロック画面を格納するフォルダのフォルダ名などを用いて行うことができる。
【００４５】
設定情報「切り換え」の欄には、その動作状況になったときに、その画面ＩＤにより特定されるスクリーンロック画面に表示を切り換えるか否かについて指定された情報が記録されている。図３の登録情報４３０においては、「正常」、「ダイアログ表示」、「警告」、「エラー（レベル１）」、「エラー（レベル２）」については、それぞれ、対応するスクリーンロック画面への切り換えを行うように設定されており、「エラー（レベル３）」と「情報表示」については、切り換えを行わないように設定されている。
【００４６】
設定情報「ユーザ通知」の欄には、その動作状況になったことをユーザ（ユーザ端末１０）に通知するか否かについて指定された情報が記録されている。図３の登録情報４３０においては、「正常」、「ダイアログ表示」、「警告」、「エラー（レベル１）」、「情報表示」については、それぞれ、ユーザ端末１０への通知を行わないように設定されており、「エラー（レベル２）」と「エラー（レベル３）」とについては、通知を行うように設定されている。
【００４７】
設定情報「通知先情報」の欄には、ユーザ端末１０のアドレス情報が記録されている。ユーザ端末１０として携帯電話や固定電話を用いる場合には、その電話番号をアドレス情報として記録する。また、ユーザ端末１０として電子メール機能を有する携帯電話やＰＤＡやパソコンを用いる場合には、その電子メールアドレスをアドレス情報として記録する。図３の登録情報４３０においては、「エラー（レベル２）」については電話番号「０２８７−ＸＸＸＸ−ＸＸＸＸ」が記録されており、「エラー（レベル３）」については電子メールアドレス「Ｔｓｂ＠ｘｘｘ．ｘｘｘ．ｊｐ」が記録されている。
【００４８】
設定情報「メッセージ」の欄には、ユーザ端末１０に通知されるメッセージ内容が記録されている。図３の登録情報４３０においては、「エラー（レベル２）」についてはメッセージ「レベル２のエラーが発生しました」が記録されており、「エラー（レベル３）」についてはメッセージ「レベル３のエラーが発生しました」が記録されている。
【００４９】
なお、「エラー（レベル２）」の場合の「通知先情報」が電話番号であることから、メッセージ「レベル２のエラーが発生しました」は音声情報とされる。また、「エラー（レベル３）」の場合の「通知先情報」が電子メールアドレスであることから、メッセージ「レベル３のエラーが発生しました」は文字情報とされる。
【００５０】
「メッセージ」欄に記録されているこれらの情報は、所定の動作状況の発生をユーザに報知するためのものであり、本発明の「報知情報」の一例に相当する。
【００５１】
（情報登録部）
前述のように、ユーザは、操作部３１を操作することにより、スクリーンロック画面の新規登録、削除、変更などを行う。また、同じく操作部３１を操作することにより、登録情報４３０に含まれる各情報の新規登録、削除、変更などを行う。
【００５２】
情報登録部４１は、ユーザが新たなスクリーンロック画面を入力した場合、操作部３１からの信号を受けて、その新たなスクリーンロック画面の画像データを画面記憶部４２に記憶させる。また、画面記憶部４２に記憶されているスクリーンロック画面の削除をユーザが要求した場合、情報登録部４１は、操作部３１からの信号を受けて、削除要求されたスクリーンロック画面を画面記憶部４２から消去する。また、画面記憶部４２に記憶されているスクリーンロック画面の変更をユーザが要求した場合、情報登録部４１は、操作部３１からの信号を受けて、変更要求されたスクリーンロック画面に変更を施す。登録情報４３０の新規登録、削除、変更についても、同様に実行される。
【００５３】
この情報登録部４１は、図示しないスクリーンロック制御プログラムを実行するＣＰＵ等のマイクロプロセッサとＲＡＭ等のメモリとを含んで構成される。
【００５４】
（装置監視部）
装置監視部４４は、ハードウェア構成部３のハードウェア３２や寝台３３等から、その動作状況を示す信号を受信することにより、ハードウェア構成部３の各部の動作状況を監視する。また、装置監視部４４は、重量検出センサ３４から検出結果を示す信号を受信する。また、装置監視部４４は、アプリケーション実行部２がアプリケーションソフトウェアに基づいて実行する演算処理や制御処理の処理状況を示す信号を受信することにより、アプリケーション実行部２の動作状況を監視する。
【００５５】
装置監視部４４には、あらかじめ指定された各種の動作状況を識別する情報（動作状況識別情報）が記憶されている。たとえば、本実施形態においては、ダイアログ表示に対応するログの文字列情報、警告が発生したときのログの文字列情報、各レベルのエラーに該当する処理に対応するログの文字列情報、情報表示に対応するログの文字列情報などが、動作状況識別情報として記憶される。また、アプリケーション実行部２やハードウェア構成部３からの信号を識別する情報なども動作状況識別情報として記憶される。
【００５６】
装置監視部４４は、このような処理や動作が発生したときに生成されるログや信号を認識し、そのログや信号が、動作状況識別情報のいずれかに一致するか否かを判定する。一致した場合、装置監視部４４は、その動作状況が発生したものと判断し、その旨を示す動作状況発生信号を制御部４６に入力する。この動作状況発生信号には、発生したと判断された動作状況の動作状況識別情報が付加されている。
【００５７】
このように作用する装置監視部４４は、本発明の「動作状況監視手段」の一例に相当するもので、たとえば、前述のスクリーンロック制御プログラムを実行するＣＰＵ等のマイクロプロセッサと、ＲＡＭ等のメモリと、動作状況識別情報を記憶するハードディスクドライブ等の不揮発性記憶装置とを含んで構成される。
【００５８】
（計時部）
計時部４５は、現在時刻（年、月、日、時、分、秒など）を計時する機能を有するＣＰＵ等のマイクロプロセッサにより構成される。
【００５９】
（制御部）
制御部４６は、表示部３５による表示処理の制御を含む、医用装置１各部の動作制御を実行する。また、制御部４６は、通信部５を制御して、ユーザ端末１０に対するメッセージの通知処理を行う。制御部４６の具体的な動作態様については後述する。
【００６０】
制御部４６は、特に、表示部３５によるスクリーンロック画面の表示制御を行う。スクリーンロック画面が表示されているとき、制御部４６は、操作部３１からの操作信号を受け付けず（つまり、操作信号に対応する処理を実行せず）、スクリーンロック画面が表示されていないとき（通常の画面が表示されているとき）には、操作信号を受け付けるようになっている。
【００６１】
この制御部４６は、本発明の「制御手段」の一例に相当するものであり、たとえば、前述のスクリーンロック制御プログラムを実行するＣＰＵ等のマイクロプロセッサと、ＲＡＭ等のメモリとを含んで構成される。また、本発明の「報知手段」は、たとえば、この制御部４６と通信部５とを含んで構成される。
【００６２】
〔通信部〕
通信部５は、ネットワークＮを介してデータ通信を行うためのモデムやＬＡＮカード等の通信インターフェイスを含んで構成される。通信部４は、装置制御部４（制御部４６）により制御されてデータ通信を行う。
【００６３】
［動作態様］
以上のように構成された本実施形態の医用装置１の動作態様について説明する。まず、医用装置１の基本的な動作態様の一例を示す図４を参照しつつ説明する。この図４のフローチャートは、スクリーンロック中に所定の動作状況が発生した場合の処理を表している。なお、所定の動作状況が発生しない場合には、通常と同様に、ユーザが解除するまでスクリーンロック状態が保持される。
【００６４】
まず、準備段階として、ユーザが、スクリーンロック画面や登録情報の管理（新規登録、削除、変更等）を行う（Ｓ１）。この準備段階は、例えば医用装置１の据付時やメンテナンス時のように、医用装置１を使用しないときに行うことができる。以下、画面記憶部４２には、図２に示すスクリーンロック画面４２１〜４２５を含む複数のスクリーンロック画面が記憶されているものとする。また、登録情報記憶部４３には、図３に示す登録情報４３０が記憶されているものとする。
【００６５】
医用装置１の使用を開始する（Ｓ２）。制御部４６は、計時部４５から提供される時刻情報に基づいて、医用装置１に対する操作が一定時間為されていないか判断する（Ｓ３）。すなわち、制御部４６は、操作部３１からの操作信号が一定時間入力されていないか否かを判断する。
【００６６】
操作が一定時間為されなかったとき（Ｓ３；Ｙ）、制御部４６は、装置監視部４４からの動作状況発生信号の入力の有無に応じてスクリーンロック画面を選択し、このときに表示されている通常の画面（検査用の画面や診断用の画面など；「通常画面」と呼ぶ。）に替えて表示部３５に表示させる（Ｓ４）。スクリーンロック画面のバックグラウンドでは、この通常画面に関する処理などが実行されている。
【００６７】
ステップＳ４において未だ動作状況発生信号が入力されていないことは、医用装置１が現在正常に動作していることを意味している。その場合には、制御部４６は、図２（Ａ）のスクリーンロック画面４２１を画面記憶部４２から選択取得して表示部３５に表示させる。
【００６８】
一方、ステップＳ４において既に動作状況発生信号が入力されている場合には、所定の動作状況（図３の「正常」以外の動作状況）にあることを意味する。その場合、制御部４６は、動作状況発生信号とともに入力された動作状況識別情報に関連付けられた画像ＩＤを登録情報４３０から選択取得する。そして、その画像ＩＤにより特定されるスクリーンロック画面を画面記憶部４２から取得して表示部３５に表示させる。
【００６９】
この段階で所定の動作状況が発生することは稀であるので、ステップＳ４では、正常な動作状況を示すスクリーンロック画面４２１が表示されたものとする。
【００７０】
スクリーンロック画面４２１が表示された状態において、所定の動作状況が発生し、装置監視部４４から動作状況発生信号と動作状況識別情報が入力されると（Ｓ５；Ｙ）、制御部４６は、入力された動作状況識別情報に対応する動作状況を、登録情報４３０に含まれる動作状況のうちから特定する（Ｓ６）。
【００７１】
更に、制御部４６は、特定された動作状況に関連付けられた画面ＩＤにより識別されるスクリーンロック画面を画面記憶部４２から選択取得し（Ｓ７）、表示部３５の表示画面を、スクリーンロック画面４２１から当該選択されたスクリーンロック画面に切り換える（Ｓ８）。このとき、制御部４６は、計時部４５から時刻を取得してスクリーンロック画面上に重ねて表示させる（Ｓ９）。この時刻は、スクリーンロック画面が切り換えられたときの時刻（所定の動作状況が発生した時刻とほぼ同じ）を表す。
【００７２】
ステップＳ８で表示されたスクリーンロック画面は、ユーザが所定のスクリーンロック解除操作（パスワード入力等）を行うことにより上記の通常画面に切り換えられる。なお、ステップＳ６で特定された動作状況が「エラー（レベル３）」である場合には、スクリーンロック画面の表示処理（Ｓ７、Ｓ８）は実行されない。
【００７３】
以上が、本実施形態の医用装置１の基本的な動作態様である。以下、ステップＳ６において特定された動作状況が「ダイアログ表示」である場合、「警告」である場合、「エラー（レベル１）」である場合、「エラー（レベル２）」である場合、「エラー（レベル３）」である場合、「情報表示」である場合、における動作態様をそれぞれ説明する。
【００７４】
〔ダイアログ表示〕
図４のステップＳ６において特定された動作状況が「ダイアログ表示」である場合の医用装置１の動作態様の一例を図５に示す。
【００７５】
特定された動作状況が「ダイアログ表示」である場合（Ｓ１１）、制御部４６は、登録情報４３０の動作状態「ダイアログ表示」に対応する「ロック解除」がオフに指定されていることを確認するとともに（Ｓ１２）、「切り換え」がオンに指定されていることを確認する（Ｓ１３）。それらの確認結果を受けた制御部４６は、画面ＩＤ「ｌｏｃｋ＿ｐｉｃ＿２」のスクリーンロック画面４２２を画面記憶部４２から選択し（Ｓ１４）、表示部３５に表示させる（Ｓ１５）。更に、計時部４５から時刻を取得し、スクリーンロック画面４２２に重ねて表示させる（Ｓ１６）。
【００７６】
また、制御部４６は、「ユーザ通知」を参照し、それがオフに設定されていることを確認する（Ｓ２７）。したがって、動作状況が「ダイアログ表示」の場合には、ユーザ端末１０に対する通知処理の制御は行わない。
【００７７】
ユーザは、表示部３５に表示されたスクリーンロック画面４２２を見て、ダイアログ表示の要求があったことを認識する（また、その時刻についても認識することができる。）。ユーザが、操作部３１により所定のスクリーンロック解除操作を行うと（Ｓ１８）、制御部４６は、その操作信号を受け、スクリーンロック画面４２２に替えて、表示要求対象となっているダイアログを通常画面とともに表示部３５に表示させる（Ｓ１９）。以上で、「ダイアログ表示」の場合のスクリーンロック動作は終了となる。
【００７８】
〔警告〕
次に、図４のステップＳ６において特定された動作状況が「警告」である場合の医用装置１の動作態様の一例について、図６を参照しつつ説明する。
【００７９】
特定された動作状況が「警告」である場合（Ｓ２１）、制御部４６は、登録情報４３０の動作状態「警告」に対応する「ロック解除」がオフに指定されていることを確認するとともに（Ｓ２２）、「切り換え」がオンに指定されていることを確認する（Ｓ２３）。それらの確認結果を受けた制御部４６は、画面ＩＤ「ｌｏｃｋ＿ｐｉｃ＿３」のスクリーンロック画面４２３を画面記憶部４２から選択し（Ｓ２４）、表示部３５に表示させる（Ｓ２５）。更に、計時部４５から時刻を取得し、スクリーンロック画面４２３に重ねて表示させる（Ｓ２６）。
【００８０】
また、制御部４６は、「ユーザ通知」を参照し、それがオフに設定されていることを確認する（Ｓ２７）。したがって、動作状況が「警告」の場合には、ユーザ端末１０に対する通知処理の制御は行わない。
【００８１】
ユーザは、表示されたスクリーンロック画面４２３を見て、警告に該当する処理状況が発生したことを認識する（その時刻も認識できる。）。ユーザが、所定のスクリーンロック解除操作を行うと（Ｓ２８）、制御部４６は、スクリーンロック画面４２３に替えて通常画面を表示部３５に表示させる（Ｓ２９）。このとき、当該警告の内容を示すダイアログ等を表示させるようにしてもよい。以上で、「警告」の場合のスクリーンロック動作は終了となる。
【００８２】
〔エラー（レベル１）〕
次に、図４のステップＳ６において特定された動作状況が「エラー（レベル１）」である場合の医用装置１の動作態様の一例について、図７を参照しつつ説明する。
【００８３】
特定された動作状況が「エラー（レベル１）」である場合（Ｓ３１）、制御部４６は、登録情報４３０の動作状態「エラー（レベル１）」に対応する「ロック解除」がオフに指定されていることを確認するとともに（Ｓ３２）、「切り換え」がオンに指定されていることを確認する（Ｓ３３）。それらの確認結果を受けた制御部４６は、画面ＩＤ「ｌｏｃｋ＿ｐｉｃ＿４」のスクリーンロック画面４２４を画面記憶部４２から選択し（Ｓ３４）、表示部３５に表示させる（Ｓ３５）。更に、計時部４５から時刻を取得し、スクリーンロック画面４２４に重ねて表示させる（Ｓ３６）。
【００８４】
また、制御部４６は、「ユーザ通知」を参照し、それがオフに設定されていることを確認する（Ｓ３７）。したがって、動作状況が「エラー（レベル１）」の場合には、ユーザ端末１０に対する通知処理の制御は行わない。
【００８５】
ユーザは、表示されたスクリーンロック画面４２４を見て、レベル１に該当する軽度のエラーが発生したことを認識する（エラー発生時刻も認識できる。）。ユーザが、所定のスクリーンロック解除操作を行うと（Ｓ３８）、制御部４６は、スクリーンロック画面４２４に替えて通常画面を表示部３５に表示させる（Ｓ３９）。このとき、エラーの内容等を示すダイアログ等を表示させるようにしてもよい。以上で、「エラー（レベル１）」の場合のスクリーンロック動作は終了となる。
【００８６】
〔エラー（レベル２）〕
次に、図４のステップＳ６において特定された動作状況が「エラー（レベル２）」である場合の医用装置１の動作態様の一例について、図８を参照しつつ説明する。
【００８７】
特定された動作状況が「エラー（レベル２）」である場合（Ｓ４１）、制御部４６は、登録情報４３０の動作状態「エラー（レベル２）」に対応する「ロック解除」がオフに指定されていることを確認するとともに（Ｓ４２）、「切り換え」がオンに指定されていることを確認する（Ｓ４３）。それらの確認結果を受けた制御部４６は、画面ＩＤ「ｌｏｃｋ＿ｐｉｃ＿５」のスクリーンロック画面４２５を画面記憶部４２から選択し（Ｓ４４）、表示部３５に表示させる（Ｓ４５）。更に、計時部４５から時刻を取得し、スクリーンロック画面４２５に重ねて表示させる（Ｓ４６）。
【００８８】
また、制御部４６は、「ユーザ通知」を参照し、それがオンに設定されていることを確認すると（Ｓ４７）、「通知先情報」に指定された電話番号「０２８７−ＸＸＸＸ−ＸＸＸＸ」によって特定されるユーザ端末１０（電話機）に対して呼び出しを行う（Ｓ４８）。ユーザが電話に応答したこと若しくは留守番電話が応答したことを確認し（Ｓ４９）、「メッセージ」に指定された音声情報「レベル２のエラーが発生しました」をユーザ端末１０に送る（Ｓ５０）。
【００８９】
ユーザは、表示されたスクリーンロック画面４２５やメッセージによって、レベル２に該当する中度のエラーが発生したことを認識する（表示された時刻やメッセージを受けた時刻に基づいてエラー発生時刻も認識できる。）。ユーザが、所定のスクリーンロック解除操作を行うと（Ｓ５１）、制御部４６は、スクリーンロック画面４２５に替えて通常画面を表示部３５に表示させる（Ｓ５２）。このとき、エラーの内容等を示すダイアログ等を表示させるようにしてもよい。以上で、「エラー（レベル２）」の場合のスクリーンロック動作は終了となる。
【００９０】
〔エラー（レベル３）〕
次に、図４のステップＳ６において特定された動作状況が「エラー（レベル３）」である場合の医用装置１の動作態様の一例について、図９を参照しつつ説明する。
【００９１】
特定された動作状況が「エラー（レベル３）」である場合（Ｓ６１）、制御部４６は、登録情報４３０の動作状態「エラー（レベル３）」に対応する「ロック解除」がオンに指定されていることを確認する（Ｓ６２）。なお、「ロック解除」がオンである場合には「切り換え」の指定内容の確認を行う必要はない（すなわち「ロック解除」は「切り換え」に優先して適用される。）。「ロック解除」がオンであることを確認すると、制御部４６は、このときに表示されている通常画面の表示状態を継続する（Ｓ６３）。制御部４６は、計時部４５から時刻を取得し、通常画面に重ねて表示させる（Ｓ６４）。このとき、エラーが発生した旨やエラーの内容等を示すダイアログ等を表示させるようにしてもよい。
【００９２】
また、制御部４６は、「ユーザ通知」を参照し、それがオンに設定されていることを確認すると（Ｓ６５）、「通知先情報」に指定された電子メールアドレス「Ｔｓｂ＠ｘｘｘ．ｘｘｘ．ｊｐ」を送信先とし、「メッセージ」に指定された文字情報「レベル３のエラーが発生しました」を送信メッセージとする電子メールを作成し（Ｓ６６）、ユーザ端末１０（携帯電話、ＰＤＡ等）に向けて送信する（Ｓ６７）。以上で、「エラー（レベル３）」の場合のスクリーンロック動作は終了となる。ユーザは、電子メールや上記ダイアログ等によって、レベル３に該当する重度のエラーが発生したことを認識し（表示された時刻や電子メールを受けた時刻に基づいてエラー発生時刻も認識できる。）、発生したエラーに対処する。
【００９３】
〔情報表示〕
図４のステップＳ６において特定された動作状況が「情報表示」である場合の医用装置１の動作態様の一例を図１０に示す。
【００９４】
特定された動作状況が「情報表示」である場合（Ｓ７１）、制御部４６は、登録情報４３０の動作状態「情報表示」に対応する「ロック解除」がオフに指定されていることを確認するとともに（Ｓ７２）、「切り換え」がオフに指定されていることを確認する（Ｓ７３）。それらの確認結果を受けた制御部４６は、このときに表示されているスクリーンロック画面の表示状態を継続する（Ｓ７４）。制御部４６は、計時部４５から時刻を取得し、このスクリーンロック画面に重ねて表示させる（Ｓ７５）。このとき、情報の表示要求がなされた旨を示すダイアログや、表示要求がなされた情報自体を表示させるようにしてもよい。
【００９５】
また、制御部４６は、「ユーザ通知」を参照し、それがオフに設定されていることを確認する（Ｓ７６）。したがって、動作状況が「情報表示」の場合には、ユーザ端末１０に対する通知処理の制御は行わない。
【００９６】
以上で、「情報表示」の場合のスクリーンロック動作は終了となる。ユーザは、たとえば表示部３５に表示された上記のダイアログや情報自体などを見て、情報表示の要求があったことや、その情報自体を認識する（また、情報表示要求があった時刻についても認識することができる。）。
【００９７】
［作用効果］
以上のように動作する本実施形態に係る医用装置１が奏する作用及び効果について説明する。
【００９８】
まず、医用装置１は、医用情報を表示する表示部３５と、装置の動作状況を監視する装置監視部４４と、監視される動作状況の変化（たとえば動作状況「正常」から「ダイアログ表示」に変化）に対応して、表示部３５に表示させるスクリーンロック画面を切り換えるように構成されている。
【００９９】
より具体的には、この医用装置１は、複数のスクリーンロック画面４２１〜４２５等をあらかじめ記憶した画面記憶部４２と、これらスクリーンロック画面４２１〜４２５等のそれぞれと、複数の動作状況（「正常」、「ダイアログ表示」等）のそれぞれとを関連付ける登録情報４３０をあらかじめ記憶した登録情報記憶部４３とを備えており、制御部４６は、これら複数の動作状況のうちの一の動作状況に関連付けられたスクリーンロック画面（たとえば「正常」に対応するスクリーンロック画面４２１）が表示部３５に表示されている場合において、当該一の動作状況から他の動作状況（たとえば「ダイアログ表示」）への変化を装置監視部４４が検知したときに、当該他の動作状況に関連付けられたスクリーンロック画面（「ダイアログ表示」に対応するスクリーンロック画面４２２）を表示部３５に表示させるようになっている。
【０１００】
このような医用装置１によれば、ユーザは、切り換え表示されたスクリーンロック画面を参照することにより、スクリーンロック状態のバックグラウンド処理やハードウェアにどのような動作状況の変化が発生したかを把握することができる（スクリーンロック時に実行されたソフトウェア処理及びハードウェア動作をまとめて「バックグラウンド処理」と称することにする。）。また、動作状況変化後においてもスクリーンロック状態になっているので、他者が不適当な操作を行ったとしても、その操作の影響を受けることが無いうえに、情報が漏洩することもない。
【０１０１】
したがって、この医用装置１によれば、他者による操作や情報の漏洩を防止しつつ、スクリーンロック時におけるバックグラウンド処理の処理状況などの装置の動作状況をユーザに認識させることが可能である。
【０１０２】
また、医用装置１によれば、レベル２やレベル３のエラー等が発生したときに、ユーザ端末１０に対してメッセージを送信して、スクリーンロック時における装置の動作状況を装置の側にいないユーザ（たとえば遠隔地にいるユーザ等）に対して通知することができる。したがって、ユーザは、動作状況の異常等を迅速に把握して適当な対処を施すことができる。
【０１０３】
登録情報４３０は、複数の動作状況の緊急度を示す情報（緊急度情報）を記録している。すなわち、複数の動作状況のうち緊急度が所定レベル以上のもの（たとえばレベル２、レベル３のエラー）に関する「ユーザ通知」がオンに設定され、緊急度が所定レベル未満のもの（たとえばレベル１のエラー）に関する「ユーザ通知」がオフに設定されている。そして、緊急度が所定レベル以上の動作状況が発生した場合にのみ、ユーザ端末１０へのメッセージ送信を行うようになっている。
【０１０４】
それにより、緊急度が比較的高い動作状況が発生した場合においては、ユーザは迅速に対処を施すことができる一方で、緊急度がそれほど高くない動作状況が発生した場合においては、そのような動作状況の発生を知らせるメッセージをわざわざ受け取ることがない。換言すると、緊急度が高い場合、つまりユーザに通知する必要性が高い場合にのみ、メッセージの通知を行うことができる。
【０１０５】
医用装置１では、緊急度の高い動作状況、すなわちユーザが通知を受ける必要があると判断する動作状況を、操作部３１を用いてユーザ自身が指定できるように構成されている。したがって、各ユーザの要請に応じて、メッセージ送信の有無を設定することができ、システム運用上の利便性が高い。なお、メッセージ通知の有無の設定は、各動作状況の緊急性に応じてデフォルト設定されていてもよい。
【０１０６】
また、この医用装置１においては、別の意味での緊急度情報を登録情報４３０に記録している。すなわち、レベル３のエラーなど特に緊急度の高い動作状況については、その発生とともにスクリーンロックを解除するように「ロック解除」をオンに設定している。
【０１０７】
たとえばＸ線曝射量が大きすぎる場合等、患者に危険が及ぶおそれがある場合などには、スクリーンロックを解除するための時間も、その危険性を増大させてしまう。そこで、本実施形態では、緊急度の特に高い動作状況が発生した場合には、スクリーンロックを自動解除するようになっている。すなわち、患者に危険が及ぶような場合には、情報の漏洩よりも患者の安全を優先するものである。
【０１０８】
このスクリーンロックの自動解除の有無についても、ユーザ自身が指定できるので運用上便利である（もちろんデフォルト設定されていてもよい。）。
【０１０９】
また、本実施形態の医用装置１においては、複数の動作状況のそれぞれについて別の動作状況から当該動作状況に変化したときにスクリーンロック画面の切り換えを行うか否かを、ユーザ自身が指定することができ、その指定結果が登録情報４３０の「切り換え」の欄に記録される。制御部４６は、動作状況の変化が検知されたときに、登録情報４３０を参照してスクリーンロック画面の切り換えを行うか否かを認識し、切り換えを行う場合には、その変化後の動作状況を示すスクリーンロック画面を表示させ、切り換えを行わない場合には切り換え前のスクリーンロック画面の表示を継続するようになっている。
【０１１０】
したがって、スクリーンロック画面の切り換えを行う必要があるほど重要でない動作状況が発生した場合には、敢えてスクリーンロック画面を切り換えないという選択肢を選択することができるので、運用上便利である。
【０１１１】
また、この医用装置１によれば、装置の動作状況の変化したときに、その変化が発生した時刻を表示するように構成されているので、ユーザは、変化発生時刻を参照して、異常の進行度合を判断したり、対処方法を検討したりすることができる。
【０１１２】
［変形例］
以上において具体的に説明した構成は、本発明に係る医用装置を好適に実施するための一例に過ぎないものである。したがって、本発明を実施するときには、本発明の要旨の範囲内における各種の変形を施すことができる。
【０１１３】
スクリーンロック中に２以上の異常な動作状況が発生した場合には、それらのうち最も重要度（緊急性等）の高いものに関連付けられたスクリーンロック画面を表示させることができる。そのためには、たとえば、登録情報４３０の動作状況に対してあらかじめ優先順位を設定しておき、動作状況が変化する度毎に、変化前の動作状況の優先順位と変化後の動作状況の優先順位とを比較し、優先順位の高い方のスクリーンロック画面を表示させるように制御すればよい。
【０１１４】
スクリーンロックを手作業で解除するときに、たとえば入力パスワードの文字数が多い場合など解除に長時間掛かる構成を採用している場合において、所定の動作状況が発生した後の解除操作を別の容易な方法に変更するように制御することができる。たとえば、通常の解除時の入力パスワードが１５文字であるときに、所定の動作状況（たとえばレベル２のエラー等）が発生したときの簡易パスワードとして４文字からなるものをあらかじめ設定しておくことができる。このとき、簡易パスワード適用中であることを示すメッセージをスクリーンロック画面とともに表示させてもよい。
【０１１５】
所定時間使用しないときに電源モードをスリープモードに移行させる構成の医用装置を用いる場合において、所定の動作状況（緊急度の高いものなど）が発生したときに、通常使用時モードなどの復帰時間の短い電源モードに変更するように制御することが可能である。それにより、発生した動作状況に対する処置を開始するまでの時間を短縮することができる。
【０１１６】
［スクリーンロック制御プログラム］
本発明に係るスクリーンロック制御プログラムについて説明する。上述した医用装置１の各種動作（図４〜図１０）は、このスクリーンロック制御プログラムに従って実行される。スクリーンロック制御プログラムは、医用装置１に内蔵されたハードディスクドライブやＲＯＭ等の記憶装置、若しくは、医用装置１がアクセス可能なコンピュータ等に内蔵の記憶装置にあらかじめ記憶されている。
【０１１７】
なお、このスクリーンロック制御プログラムを、コンピュータが読み取り可能な任意の記憶媒体に記憶させることができる。たとえば、光ディスク、光磁気ディスク（ＣＤ−ＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）などに記憶させることが可能である。
【図面の簡単な説明】
【０１１８】
【図１】本発明に係る医用装置の好適な実施形態の構成の一例を表す概略ブロック図である。
【図２】本発明に係る医用装置の好適な実施形態により表示されるスクリーンロック画面の形態の一例を表す概略図である。
【図３】本発明に係る医用装置の好適な実施形態に記憶される登録情報の一例を表す図である。
【図４】本発明に係る医用装置の好適な実施形態により実行される処理の一例を表すフローチャートである。
【図５】本発明に係る医用装置の好適な実施形態により実行される処理の一例を表すフローチャートである。
【図６】本発明に係る医用装置の好適な実施形態により実行される処理の一例を表すフローチャートである。
【図７】本発明に係る医用装置の好適な実施形態により実行される処理の一例を表すフローチャートである。
【図８】本発明に係る医用装置の好適な実施形態により実行される処理の一例を表すフローチャートである。
【図９】本発明に係る医用装置の好適な実施形態により実行される処理の一例を表すフローチャートである。
【図１０】本発明に係る医用装置の好適な実施形態により実行される処理の一例を表すフローチャートである。
【符号の説明】
【０１１９】
１  医用装置
２  アプリケーション実行部
３  ハードウェア構成部
３１  操作部
３２  ハードウェア
３３  寝台
３４  重量検出センサ
３５  表示部
４  装置制御部
４１  情報登録部
４２  画面記憶部
４２１〜４２５  スクリーンロック画面
４３  登録情報記憶部
４３０  登録情報
４４  装置監視部
４５  計時部
４６  制御部
５  通信部
１０  ユーザ端末
【図１】
2007164372.tif 000003
【図２】
2007164372.tif 000004
【図３】
2007164372.tif 000005
【図４】
2007164372.tif 000006
【図５】
2007164372.tif 000007
【図６】
2007164372.tif 000008
【図７】
2007164372.tif 000009
【図８】
2007164372.tif 000010
【図９】
2007164372.tif 000011
【図１０】
2007164372.tif 000012